(57)【要約】【課題】荷造り、書類整理等において使用される紙製、あるいはビニール製等の紐を、中空束状に巻き込んだ紐束から、絡まったり、あるいは余分に出すぎることなく、引き出すことができる紐の引き出し補助具を提供する。【解決手段】伸縮性に富むゴムリング３により形成され、紐１を中空束状に巻き込んで形成された紐束２の外周厚さ方向に伸張掛け渡して圧着できるよう、該紐束２の厚さ方向外周より短く形成された、やや巾広のゴムリング３の１８０度の位相差位置に接続部４・５をそれぞれ備えると共に、該各接続部４・５を残して、該ゴムリング３の中央部を円周方向に切断して、該切断部６により左右に分断された２組のバンド７・８を形成する一方、更に前記接続部４・５のうち、一方の接続部４に、前記紐束２の内側から引き出された紐１を挿通して引き出す引き出し孔９を開口して形成する。【選択図】図２
2011152933.tif 000002
【特許請求の範囲】
【請求項１】
伸縮性に富むゴムリングにより形成され紐を中空束状に巻き込んで形成された紐束の外周厚さ方向に伸張掛け渡して圧着できるよう、該紐束の厚さ方向外周より短く形成された、やや巾広のゴムリングの１８０度の位相差位置に接続部をそれぞれ備えると共に、該各接続部を残して、該ゴムリングの中央部を円周方向に切断して、該切断部により左右に分断された２組のバンドを形成する一方、更に前記接続部のうち、一方の接続部に、前記紐束の内側から引き出された紐を挿通して引き出す引き出し孔を開口して形成したことを特徴とする紐の引き出し補助具。
【請求項２】
伸縮性に富むゴムリングにより形成され、紐を中空束状に巻き込んで形成された紐束の外周厚さ方向に伸張掛け渡して圧着できるよう、該紐束の厚さ方向外周より短く形成された、やや巾広のゴムリングの１８０度の位相差位置に接続部をそれぞれ備えると共に、該各接続部を残して、該ゴムリングの中央部を円周方向に切断して、該切断部により左右に分断された２組のバンドを形成する一方、更に前記接続部のうち、一方の接続部に、前記紐束の内側から引き出された紐を挿通して引き出す引き出し孔を開口して形成する一方、摩擦係数の大なるゴム、または軟質合成樹脂より成る前記引き出し孔より径が大きく、且つ厚みのある基板の中央に、前記紐の挿通孔を貫通すると共に、該基板の外周面中央の円周方向に前記引き出し孔の内周縁部に密嵌して固定する凹溝を周設し、且つ該凹溝の上・下部に前記引き出し孔の外周上・下縁部に掛止して離脱を防止する鍔部を突設して形成された補強用ガイドを前記引き出し孔に装着したことを特徴とする紐の引き出し補助具。
【発明の詳細な説明】
【技術分野】
【０００１】
本発明は、荷造り、荷物整理、書類整理等において使用される紙製、あるいはビニール製等の紐を、中空束状に巻き込んだ紐束から、絡まったり、あるいは余分に出すぎることなく、引き出すことができる紐の引き出し補助具に関するものである。
【背景技術】
【０００２】
従来、中空束状に巻き込んだ紐束の内側(中空部)から紐を引き出して使用する場合、余分に引き出してしまったり、あるいは紐の巻き数が少なくなるにつれて、紐束の内側で絡むのを、適宜手直ししながら適宜の長さ分だけ引き出して使用していた。
【０００３】
そして、前記紐を余分に引き出してしまったり、あるいは絡むのを防止する手段を備えた紐束に関して、過去の特許文献を遡及検索したところ、下記の特許文献１に記載された荷造り紐用ケースが公知である。
【先行技術文献】
【特許文献】
【０００４】
【特許文献１】実開平７−３１６３２号公報
【発明の概要】
【発明が解決しようとする課題】
【０００５】
前記従来中空束状に巻き込んだ紐束から紐をそのまま内側から引き出して使用する場合、ストッパーや調節手段がないため、紐を余分に引き出してしまったり、あるいは該余分に引き出してしまった紐が絡まったりしてしまうので、非常に使い難いという課題があった。
【０００６】
また、前記特許文献１記載のものは、紐を余分に引き出したり、あるいは紐が絡まるのを防止することができるが、紐類をケースに入れて、該ケースに設けられた抜取孔に挿通して紐を引き出すように構成されているため、別にケースを成型加工しなければならず、その分コストが高くなるという課題があった。
【０００７】
本発明は、前記課題を解決すべくなされたものであって、紐の引き出し孔を備えたゴムリングを、紐束の外周厚さ方向に圧着して、該引き出し孔より紐を引き出すことにより、余分に紐を引き出したり紐が絡まったりすることのない紐の引き出し補助具を提供しようとするものである。
【課題を解決するための手段】
【０００８】
本発明は、前記課題を解決するために、請求項１の発明において、伸縮性に富むゴムリングにより形成され紐を中空束状に巻き込んで形成された紐束の厚さ方向外周に伸張掛け渡して圧着できるよう、該紐束の厚さ方向外周より短く形成された、やや巾広のゴムリングの１８０度の位相差位置に接続部をそれぞれ備えると共に、該各接続部を残して、該ゴムリングの中央部を円周方向に切断して、該切断部により左右に分断された２組のバンドを形成する一方、更に前記接続部のうち、一方の接続部に、前記紐束の内側から引き出された紐を挿通して引き出す引き出し孔を開口して形成するという手段を採用し、
または、請求項２の発明において、伸縮性に富むゴムリングにより形成され、紐を中空束状に巻き込んで形成された紐束の厚さ方向外周に伸張掛け渡して圧着できるよう、該紐束の厚さ方向外周より短く形成された、やや巾広のゴムリングの１８０度の位相差位置に接続部をそれぞれ備えると共に、該各接続部を残して、該ゴムリングの中央部を円周方向に切断して、該切断部により左右に分断された２組のバンドを形成する一方、更に前記接続部のうち、一方の接続部に、前記紐束の内側から引き出された紐を挿通して引き出す引き出し孔を開口して形成する一方、摩擦係数の大なるゴム、または軟質合成樹脂より成る前記引き出し孔より径が大きく、且つ厚みのある基板の中央に、前記紐の挿通孔を貫通すると共に、該基板の外周面中央の円周方向に前記引き出し孔の内周縁部に密嵌して固定する凹溝を周設し、且つ該凹溝の上・下部に前記引き出し孔の外周上・下縁部に掛止して離脱を防止する鍔部を突設して形成された補強用ガイドを前記引き出し孔に装着するという手段を採用した。
【発明の効果】
【０００９】
本発明紐の引き出し補助具を、紐束の外周厚さ方向に圧着して、該引き出し孔より紐を引き出すことにより、余分に紐を引き出したり紐が絡まったりすることがなく、更に、紐は手で引き出さない限り、前記引き出し孔の内周面部に摺接したままの状態となって、ストッパーの役目を果たすこともできる。本発明請求項２の発明によれば、前記請求項１の発明の効果に加えて、引き出し孔が補強用ガイドによって補強されるために、長期に亘って使用することができる。
【図面の簡単な説明】
【００１０】
【図１】本発明第１の実施例による紐の引き出し補助具の全体の斜視図である。
【図２】同引き出し補助具を紐束に装着した状態を示す上方側から見た全体の斜視図である。
【図３】同紐の引き出し補助具を紐束に装着した状態を示す縦断面図である。
【図４】本発明第２の実施例による紐の引き出し補助具における補強用ガイドを引き出し孔に装着した状態を示す要部の斜視図である。
【図５】同紐の引き出し補助具における補強用ガイドを引き出し孔に装着した状態を示す縦断面図である。
【図６】同補強用ガイドを取付けた本発明紐の引き出し補助具を紐束に装着した状態を上方から見た全体の斜視図である。
【実施例】
【００１１】
本発明の第１の実施例を図１〜図３に基づいて詳細に説明する。本発明紐の引き出し補助具は、伸縮性に富むゴムリングにより形成され、紐１を中空束状に巻き込んで形成された紐束２の外周厚さ方向に伸張掛け渡して圧着できるよう、該紐束２の厚さ方向外周より短く形成された、やや巾広のゴムリング３の１８０度の位相差位置に接続部４・５をそれぞれ備えると共に、該接続部４・５を残して、該ゴムリング３の中央部を円周方向に切断して、該切断部６により左右に分断された２組のバンド７・８を形成する一方、更に前記接続部４・５のうち、一方の接続部４に、前記紐束２の内側から引き出された紐１を挿通して引き出す引き出し孔９を開口して形成されている。
【００１２】
前記のように形成された引き出し補助具は、ゴム製であるため伸縮性に富むと共に、摩擦係数が大であるという特性を有し、本発明はその特性を利用するものである。すなわち、本発明引き出し補助具を使用する場合、図２・３に示すように紐束２の中空部７の上下部に接続部４・５がそれぞれ位置するようにして、紐束２の厚さ方向外周面に圧着し、然る後、各ゴムバンド７・８を斜め外方向に引き伸ばして、上・下方から見た場合「Ｘ字状」になるようにして、該各ゴムバンド７・８を紐束２の外周面に圧着する。
【００１３】
前記引き出し補助具の各ゴムバンド７・８を紐束２に圧着した後、該紐束２の内側(中空部１０側)から紐１を引き出して、前記引き出し孔９に挿通して、適宜の長さの紐１を引き出して使用する。この場合、本発明引き出し補助具全体が、摩擦係数が大なるゴム製であるため、前記引き出し孔９に挿通された紐１は、手で引き出さない限り、該引き出し孔９の内周面部に摺接したままの状態となってストッパーの役目を果たし、引き出し過ぎることもないので、絡まったりする虞れも全くない。
【００１４】
図４〜図６は本発明の第２の実施例を示すものである。第２の実施例は前記第１の実施例における引き出し孔９を補強すると共に、紐１の引き出しのガイドともなる補強用ガイド１１を取付けたものである。すなわち、第２の実施例における補強用ガイド１１は、摩擦係数の大なるゴム、または軟質塩化ビニール等の軟質の合成樹脂より成る前記引き出し孔９より径が大きく、且つ厚みのある基板１２の中央に、前記紐１の挿通孔１３を貫通すると共に、該基板１２の外周面中央の円周方向に前記引き出し孔９の内周縁部に密嵌して固定する凹溝１４を周設すると共に、該凹溝１４の上・下部に前記引き出し孔９の外周上・下縁部に掛止して離脱を防止する鍔部１５を突設して形成されている。
【００１５】
前記構成より成る補強用ガイド１１を引き出し孔９部に装着し、挿通孔１３に紐１を挿通することにより、該紐１は該挿通孔１３をガイドとして引き出すことができる。このとき、補強用ガイド１１は、摩擦係数が大なるゴムあるいは軟質の合成樹脂により形成されているため、実施例１と同様の作用および効果の外に、引き出し孔９が補強されるために、長期に亘って使用できるという効果を奏するものである。
【００１６】
すなわち、補強用ガイド１１を引き出し孔９に装着すると共に、該補強用ガイド１１の挿通孔１３に紐１を挿通すると、該紐１は手で引き出さない限り該挿通孔１３の内周面部に摺接したままの状態となってストッパーの役目を果たし、紐１が紐束２から崩れることもなく、また引き出し過ぎることもないので、絡まったりする虞れも全くない。
【符号の説明】
【００１７】
１  紐
２  紐束
３  ゴムリング
４・５  接続部
６  切断部
７・８  バンド
９  引き出し孔
１１  補強用ガイド
１２  基板
１３  挿通孔
１４  凹溝
１５  鍔部
【図１】
2011152933.tif 000003
【図２】
2011152933.tif 000004
【図３】
2011152933.tif 000005
【図４】
2011152933.tif 000006
【図５】
2011152933.tif 000007
【図６】
2011152933.tif 000008